(57)【要約】      （修正有）【課題】体内組織をより確実に挟み、切開することができ、かつ、電流密度を増加させることができる係合面を備える内視鏡用の高周波治療器具の提供。【解決手段】内視鏡を介して体腔内に挿入される挿入部と；前記挿入部の遠端部に取り付けられ、高周波電圧を供給する導電性ワイヤ３１ａ、３１ｂに接続し、対向する係合面を有し、かつ、開いた位置と閉じた位置との間で可動な一対の電極１０ａ、１０ｂと、を備えた、内視鏡用の高周波切開器具において、前記対向する係合面６４には凹部と凸部が、前記電極１０ａ、１０ｂの長手方向に亘り、交互に連続して形成され、前記一対の電極１０ａ、１０ｂが前記閉じた位置にあるときに、前記対向する係合面６４は所定間隔離れている。【選択図】図３
2007319678.tif 000002
【特許請求の範囲】
【請求項１】
内視鏡を介して体腔内に挿入される挿入部と；
前記挿入部の遠端部に取り付けられ、高周波電圧を供給する導電性ワイヤに接続し、対向する係合面を有し、かつ、開いた位置と閉じた位置との間で可動な一対の電極と、を備えた、内視鏡用の高周波切開器具において、
前記対向する係合面には凹部と凸部が、前記電極の長手方向に亘り、交互に連続して形成され、
前記一対の電極が前記閉じた位置にあるときに、前記対向する係合面は所定間隔離れていることを特徴とする内視鏡用の高周波切開器具。
【請求項２】
内視鏡を介して体腔内に挿入される挿入部と；
前記挿入部の遠端部に取り付けられ、操作用ワイヤに接続し、対向する係合面を有し、かつ、開いた位置と閉じた位置との間で可動な一対の顎部材と、を備えた、内視鏡用の高周波切開器具において、
前記対向する係合面には凹部と凸部が、前記顎部材の長手方向に亘り、交互に連続して形成され、
前記一対の顎部材が前記閉じた位置にあるときに、前記対向する係合面は所定間隔離れていることを特徴とする内視鏡用の高周波切開器具。
【請求項３】
前記係合面の凹部と凸部は、長手方向に沿った側面視で、台形である、請求項１及び２記載の内視鏡用の高周波切開器具。
【請求項４】
前記係合面の長手方向に直交する幅が前記電極の幅より短い、請求項１記載の内視鏡用の高周波切開器具。
【請求項５】
前記係合面の長手方向に直交する幅が前記顎部材の幅より短い、請求項２記載の内視鏡用の高周波切開器具。
【請求項６】
前記一対の電極が前記閉じた位置にあるとき、対応する前記一方の電極の凹部と前記他方の電極の凸部が、前記所定間隔がゼロとなるように嵌合する、請求項１記載の内視鏡用の高周波切開器具。
【請求項７】
前記一対の顎部材が前記閉じた位置にあるとき、対応する前記一方の顎部材の凹部と前記他方の顎部材の凸部が、前記所定間隔がゼロとなるように嵌合する、請求項２記載の内視鏡用の高周波切開器具。
【請求項８】
前記台形の隅部を面取りした、請求項３記載の内視鏡用の高周波切開器具。
【請求項９】
内視鏡を介して体腔内に挿入される挿入部と；
前記挿入部の遠端部に取り付けられ、高周波電圧を供給する導電性ワイヤに接続し、対向する係合面を有し、かつ、開いた位置と閉じた位置との間で可動な一対の電極と、を備えた、内視鏡用の高周波切開器具において、
前記一対の係合面のそれぞれは、その長手方向に渡り、互いに対向する方向に突出する凸部を備え、
前記対向する係合面は、前記一対の電極が前記閉じた位置にあるときに、所定間隔離して保持されることを特徴とする内視鏡用の高周波切開器具。
【請求項１０】
内視鏡を介して体腔内に挿入される挿入部と；
前記挿入部の遠端部に取り付けられ、操作用ワイヤに接続し、対向する係合面を有し、かつ、開いた位置と閉じた位置との間で可動な一対の顎部材と、を備えた、内視鏡用の高周波切開器具において、
前記一対の係合面のそれぞれは、その長手方向に渡り、互いに対向する方向に突出する凸形状に形成し、
前記一対の顎部材が前記閉じた位置にあるときに、前記対向する係合面は所定間隔離れていることを特徴とする内視鏡用の高周波切開器具。
【請求項１１】
前記係合面の凸形状が、その断面が該凸部の頂部が円弧状の突起で、該突起の径の長さを前記係合面の基部の幅より短くした、請求項９及び１０記載の内視鏡用の高周波切開器具。
【請求項１２】
前記一対の電極が前記閉じた位置にあるとき、前記所定間隔がゼロとなるように前記係合面が接触する、請求項９記載の内視鏡用の高周波切開器具。
【請求項１３】
前記一対の顎部材が前記閉じた位置にあるとき、前記所定間隔がゼロとなるように前記係合面が接触する、請求項１０記載の内視鏡用の高周波切開器具。
【請求項１４】
前記係合面を、電流密度を増加させるよう構成した刃先とした、請求項９記載の内視鏡用の高周波切開器具。
【請求項１５】
前記係合面を刃先とした、請求項１０記載の内視鏡用の高周波切開器具。
【発明の詳細な説明】
【技術分野】
【０００１】
本発明は、双極高周波治療器具に関し、特に、体内組織をより確実に挟むことができ、かつ、電流密度を増加させることができる一対の可動電極を備えた内視鏡用の高周波治療器具に関する。
【背景技術】
【０００２】
患者の体表に置かれた大型の対向電極と組み合わせてロッド形の電極を利用する高周波切開器は、本発明の属する技術分野で知られている。より具体的には、ロッド形電極の近傍の体内組織を焼灼するために、ロッド形電極と対向電極との間に高周波電流を発生させる。一方、上記ロッド型の高周波切開器具は単極なので、体内組織の周辺領域に大きな熱衝撃が発生する。
【０００３】
従来の高周波切開器具の欠点は、電流が患者の体内に置かれた一方の電極から外側体表に置かれた他方の電極に流れるので、高周波電流が長時間に亘って連続的に発生した場合、不必要に深い孔を体内組織内にあける可能性があることである。
【０００４】
上述のような深い孔は、電流を間欠的に発生させることにより回避できる。しかしながら、このように間欠的に電流を発生させつつ手術を行うと、手術に要する時間が長くなるという問題を伴う。
【０００５】
このような事情により、粘膜抜去術等において切開、剥脱、及び止血を比較的短い手術時間で行うことのできる内視鏡のための双極高周波切開器具が望まれている。
【発明の開示】
【課題を解決するための手段】
【０００６】
本発明は、内視鏡を介して体腔内に挿入される挿入部と；前記挿入部の遠端部に取り付けられ、高周波電圧を供給する導電性ワイヤに接続し、対向する係合面を有し、かつ、開いた位置と閉じた位置との間で可動な一対の電極と、を備えた、内視鏡用の高周波切開器具において、前記対向する係合面には凹部と凸部が、前記電極の長手方向に亘り、交互に連続して形成され、前記一対の電極が前記閉じた位置にあるときに、前記対向する係合面は所定間隔離れていることを特徴とする。
【０００７】
本発明は、また、内視鏡を介して体腔内に挿入される挿入部と；前記挿入部の遠端部に取り付けられ、操作用ワイヤに接続し、対向する係合面を有し、かつ、開いた位置と閉じた位置との間で可動な一対の顎部材と、を備えた、内視鏡用の高周波切開器具において、前記対向する係合面には凹部と凸部が、前記顎部材の長手方向に亘り、交互に連続して形成され、前記一対の顎部材が前記閉じた位置にあるときに、前記対向する係合面は所定間隔離れていることを特徴とする。
【０００８】
前記係合面の凹部と凸部は、長手方向に沿った側面視で、台形であり、前記係合面の長手方向に直交する幅が前記電極の幅より短いと好ましい。また、  前記台形の隅部を面取りをすると好ましい。
【０００９】
前記係合面の長手方向に直交する幅が前記顎部材の幅より短いと好ましい。
【００１０】
前記一対の電極が前記閉じた位置にあるとき、対応する前記一方の電極の凹部と前記他方の電極の凸部が、前記所定間隔がゼロとなるように嵌合すると好ましい。
【００１１】
前記一対の顎部材が前記閉じた位置にあるとき、対応する前記一方の顎部材の凹部と前記他方の顎部材の凸部が、前記所定間隔がゼロとなるように嵌合すると好ましい。
【００１２】
本発明は、さらに、内視鏡を介して体腔内に挿入される挿入部と；前記挿入部の遠端部に取り付けられ、高周波電圧を供給する導電性ワイヤに接続し、対向する係合面を有し、かつ、開いた位置と閉じた位置との間で可動な一対の電極と、を備えた、内視鏡用の高周波切開器具において、前記一対の係合面のそれぞれは、その長手方向に渡り、互いに対向する方向に突出する凸部を備え、前記対向する係合面は、前記一対の電極が前記閉じた位置にあるときに、所定間隔離して保持されることを特徴とする。
【００１３】
前記係合面を、電流密度を増加させるよう構成した刃先とすると好ましい。
【００１４】
本発明は、また、内視鏡を介して体腔内に挿入される挿入部と；前記挿入部の遠端部に取り付けられ、操作用ワイヤに接続し、対向する係合面を有し、かつ、開いた位置と閉じた位置との間で可動な一対の顎部材と、を備えた、内視鏡用の高周波切開器具において、前記一対の係合面のそれぞれは、その長手方向に渡り、互いに対向する方向に突出する凸形状に形成し、前記一対の顎部材が前記閉じた位置にあるときに、前記対向する係合面は所定間隔離れていることを特徴とする。
【００１５】
前記係合面を刃先とすると好ましい。
【００１６】
前記係合面の凸形状が、その断面が該凸部の頂部が円弧状の突起で、該突起の径の長さを前記係合面の基部の幅より短くすると好ましい。
【００１７】
前記一対の電極が前記閉じた位置にあるとき、前記所定間隔がゼロとなるように前記係合面が接触すると好ましい。
【００１８】
前記一対の顎部材が前記閉じた位置にあるとき、前記所定間隔がゼロとなるように前記係合面が接触すると好ましい。
【発明の効果】
【００１９】
本発明によれば、体内組織をより確実に挟み、切開することができ、かつ、電流密度を増加させることができる係合面を備える内視鏡用の高周波治療器具を得ることができる。
【発明を実施するための最良の形態】
【００２０】
図１は、本発明に係る内視鏡のための双極高周波切開器具(内視鏡用の高周波切開器具)１０の実施形態を示す斜視図である。高周波電源（図示せず）に接続可能な双極高周波切開器具１０は、例えば米国特許第６，９６９，３８９号と米国公開特許公報第２００３／０１９１４６５号に記載された双極高周波内視鏡手術システムと連携して使用でき、これら両開示内容は参照として本明細書に組み込まれている。
【００２１】
双極高周波切開器具１０は、操作部（図示せず）と、この操作部の遠端部に接続された挿入部２０と、を備えている。
挿入部２０は、支持部材３２（図１）と、ポリテトラフルオロエチレン（ＰＴＦＥ）等の絶縁材料で作製される細長い可撓性シース３０（図３）と、このシース３０を通して摺動可能に挿入された１対の導電性ワイヤ３１ａ、３１ｂと、支持部材３２の遠端部に設けられて上記導電性ワイヤ３１ａ、３１ｂに接続され、閉じた位置（図１）と開いた位置（図３）に設定することができる、１対の電極１０ａ、１０ｂと、を備えている。なお、電極１０ａの極性を正とし、電極１０ｂの極性を負とすること、またその逆とすることも可能である。さらに、導電性ワイヤ３１ａ、３１ｂは、その一方が高周波電源（図示せず）の正の端子（又は負の端子）に接続され、他方が負の端子（又は正の端子）に接続されている。また、上記の構成に限定されず、導電性ワイヤ３１ａ、３１ｂを操作用ワイヤとすることで、１対の電極１０ａ、１０ｂは導電構造とせずに、外科医（執刀医）による遠隔操作のみが可能な顎部材として構成することもできる。
【００２２】
図１乃至図３に示すように、１対の電極（顎部材）１０ａ、１０ｂを支持する支持部材３２は、可撓性シース３０の遠端部に取り付けられている。この支持部材３２は、硬質合成樹脂等の固い絶縁材料で作製され、均一な幅を有するスリット３４を形成するために前方に向けて延びる平行な一対のアーム３３を有している。これらアーム３３の遠端部の近傍には２本のピン３５が支持される。これら２本のピン３５は、アーム３３の側壁に、所定間隔離で平行状態を維持しつつ、垂直に配置されている。なお、ピン３５はステンレス鋼等で作製することができる。
【００２３】
上記１対の電極１０ａ、１０ｂは、支持部材３２のスリット３４内に一部分が挿入され、また各ピン３５を中心に回転可能に取り付けられている。この構成により、これら電極１０ａ、１０ｂを、閉じた位置（図１）又は開いた位置（図３）に設定することができる。
【００２４】
電極１０ａ、１０ｂの後端部Ｒ（図３）は、導電性ワイヤ３１ａ、３１ｂに接続している。一方、各導電性ワイヤ（操作用ワイヤ）３１ａ、３１ｂは、対応する電極１０ａ、１０ｂに接続する端部を除いて絶縁チューブ４１ａ、４１ｂで被覆されている。
【００２５】
支持部材３２のスリット３４内で電極１０ａ、１０ｂが互いに接触するのを防止するために、絶縁ブロック５１が配置されている。この絶縁ブロック５１は、電極１０ａ、１０ｂ間に配置され、ピン３５によって支持されている。なお、絶縁ブロック５１は、例えばポリテトラフルオロエチレン等の樹脂で作製することができる。また、絶縁ブロック５１は支持部材３２の遠端部に該支持部材３２と一体に（具体的にはアーム３３と一体に）形成されるが、支持部材３２とは別部材としてもよい。
【００２６】
上記絶縁ブロック５１は、より詳細には、図４の破断斜視図に示すように、中央ブロック５１ｄ、電極１０ａを支持するピン３５が貫通する穴５１ａを有するサブブロック５１ｃ、及び電極１０ｂを支持するピン３５が貫通する穴５１ｂを有するサブブロック５１’ｃから構成されている。そして、図５に示すように、サブブロック５１ｃと中央ブロック５１ｄで規定される領域に電極１０ｂが配置され、サブブロック５１’ｃと中央ブロック５１ｄで規定される領域に電極１０ａが配置され、それぞれピン３５により回転自在に支持される。
【００２７】
電極１０ａ、１０ｂは、より詳細には、ステンレス鋼等の電極材料で作製される一対の部材である。これら電極１０ａ、１０ｂが支持部材３２に取り付けられるとき、前部Ｆ（図３）はアーム３３から突出して前方に延び、後部はアーム３３間に位置する（図２）。そして、各電極１０ａ、１０ｂの後部Ｒには、２個の孔が設けられ、一方にはピン３５が貫通し、他方には導電性ワイヤ（３１ａ、３１ｂ）が接続されている。
【００２８】
なお、各電極１０ａ、１０ｂの後部Ｒは、図３に明示されるように、所定角度曲げられている。これは、シース３０内で導電性ワイヤ３１ａ、３１ｂが、シース３０の軸方向前後摺動して、電極１０ａ、１０ｂを、ピン３５を中心に回転させて、上記開いた位置又は上記閉じた位置にするためである。
【００２９】
電極１０ａ、１０ｂには、係合面６４が形成されている（図１）。そして、これら電極の閉じた位置（図１）では、体内組織の損傷をより少なくすべく、対向する係合面６４の間隔Ｓを約０．０５ｍｍ〜約０．５ｍｍと設定している。一方、必要に応じて、上記のような間隔を設けずに、閉じた位置では、電極１０ａ、１０ｂの係合面６４を接触させてもよい。
【００３０】
次に、図６、図７及び図８により、係合面６４の実施形態を説明する。
図６は、電極の長手方向に直交する方向から見た係合面６４の断面図である。電極１０ａ、１０ｂには、平坦な係合面６４に向かって電極１０ａ、１０ｂの基部からテーパー状の側面６１が形成されている。このように、電極１０ａ、１０ｂを係合面６４に向けて細くして係合面６４の表面積を減少させると、該係合面６４における電流密度を増加させつつ、目的とする患部体内組織のみをより確実に捕捉することを可能にする。また、この構成により、係合面６４は、切開手術等においては、刃先としても機能させることができる。より詳細には、図６（断面視）の状態で、係合面６４の幅（電極の長手方向に直交する方向）が各電極１０ａ、１０ｂの幅より短くなるように、テーパー状に互いに傾く各側面６１自体の長さ、すなわち斜辺の長さ、を係合面６４の幅よりも長くなるよう設定すると好ましい。なお、図６は、説明目的のため誇張して描いている。
【００３１】
図７は係合面６４を、図６に示す断面形状で連続する凹凸部６４ａとした実施形態である。対向する複数の凹凸部６４ａを、電極１０ａ、１０ｂが閉じた位置で交互に噛み合うように構成すると（図１３参照）、体内組織を、滑りを生ずることなく、より確実に挟むことができるので、より正確な切開が可能となる。また、上記凹凸部６４ａは、長手方向に沿った側面視で、台形としている。さらに、体内組織の損傷防止のため、特に各凸部の隅に面取りを施してもよい。
【００３２】
図８は、電極の長手方向に直交する方向から見た、他の実施形態による係合面６４の断面図である。同図に明示されるように、前述の矩形断面とは異なり、頂部断面を円弧状の突起６４ｂとして構成した係合面６４となっている。そして、この円弧状の突起６４ｂの径の長さを電極の基部の幅より短くなるように設定している。このように、頂部断面が円弧状で、電極の長手方向に延びる係合面６４においても、先の実施形態の場合と同様に、係合面６４における電流密度を増加させつつ、目的とする患部体内組織のみをより確実に捕捉することを可能にすることができ、かつ、係合面６４は、切開手術等においては、刃先として機能する。
【００３３】
次に、図９及び図１３により、係合面６４が対向して連続する凹凸部６４ａである双極高周波切開器具１０を用いた処置例を説明する。
図９及び図１０は、双極高周波切開器具１０を用いた切開処置を示している。  外科医（執刀医）が双極高周波切開器具１０を開いた位置にして患部に接近させ（図９）、患部に到達すると、同器具１０を閉じつつ患部体内組織に切り込みを入れる（図１０）。このとき、対向する複数の台形突部６４ａが互いに噛み合い、かつ、電流密度を増加させるので、患部の目的とする体内組織のみをより確実に切開することができる。そして、上述の係合面６４の他の実施形態の場合も、同様の効果が得られる。なお、双極高周波切開器具１０による手術に際しては、必要に応じて異なる特性（例えば異なる継続時間、電圧など）の高周波電圧を使用することができる。
【００３４】
図１１乃至図１３には、双極高周波切開器具１０を止血手術に用いる場合を示している。
図１１に示すように、閉じた位置の双極高周波治療器具１０を、出血部位に押し当てる。なお、例えば、出血が広範囲に及ぶ場合は、図１２に示すように、双極高周波治療器具１０を開いた位置にして出血部位に押し当ててもよい。
図６乃至及び図８に示すいずれの場合も、図１３に示すように、電流を流しつつ出血部位を電極１０ａ、１０ｂで挟み込んで出血を止める。
【００３５】
上述のように、双極高周波切開器具１０は、切開及び止血に用いているが、マーク付け等の他の外科的処置にも適用することができる。例えば、双極高周波切開器具１０を用いて、切除及び止血の前にマーク付けを行えば、これら切除及び止血をより正確に行うことができる。
【図面の簡単な説明】
【００３６】
【図１】本発明に係る双極高周波切開器具の、閉じた位置における、側面図である。
【図２】双極高周波切開器具の上面図である。
【図３】図２のＡ−Ａ線に沿った双極高周波切開器具の側面断面図である。
【図４】絶縁ブロック５１部分を示す破断斜視図である。
【図５】絶縁ブロック５１部分を示す側面断面図である。
【図６】電極の係合面の実施形態を示す断面図である。
【図７】電極の係合面の他の実施形態を示す側面断面図である。
【図８】電極の係合面のさらに別の実施形態を示す断面図である。
【図９】患部に接近する開いた位置の双極高周波切開器具を示す図である。
【図１０】患部を切開する双極高周波切開器具を示す図である。
【図１１】双極高周波切開器具を閉じた位置で出血部に当てつけた状態を示す図である。
【図１２】双極高周波切開器具を開いた位置で出血部に当てつけた状態を示す図である。
【図１３】双極高周波切開器具の電極に電流を流しつつ止血する状態を示図である。
【符号の説明】
【００３７】
２０  挿入部
１０ａ、１０ｂ  一対の電極（顎部材）
１０  内視鏡用の高周波切開器具（内視鏡用の切開器具）
３１ａ、３１ｂ  導電性ワイヤ（操作用ワイヤ）
【図１】
2007319678.tif 000003
【図２】
2007319678.tif 000004
【図３】
2007319678.tif 000005
【図４】
2007319678.tif 000006
【図５】
2007319678.tif 000007
【図６】
2007319678.tif 000008
【図７】
2007319678.tif 000009
【図８】
2007319678.tif 000010
【図９】
2007319678.tif 000011
【図１０】
2007319678.tif 000012
【図１１】
2007319678.tif 000013
【図１２】
2007319678.tif 000014
【図１３】
2007319678.tif 000015